(57)【要約】【課題】変圧器の容量の増大に伴い、二次側機器及び二次側機器を収納する筐体のコスト及び据付面積が増大する。【解決手段】本発明の受変電設備は、変圧器１Ａの一次側巻線１３及び三次側巻線１４をデルタ結線し、二次側巻線１５を単相変圧器３台になるようにデルタ結線を３分割し、各相毎に中性線を設けた単相３線結線とし、二次側の電流を３相各々に分流することにより受変電設備のコスト及び据付面積を低減する。【選択図】  図５
2004259945.tif 000002
【特許請求の範囲】
【請求項１】
変圧器の一次側巻線の電力を二次側巻線及び三次側巻線に供給する変圧器において、前記変圧器の一次側巻線及び三次側巻線をデルタ結線にし、二次側巻線の各相をその各相が単相変圧器をなすようにデルタ結線を３分割し、各相毎に中性線を設けた単相３線結線とすることを特徴とする変圧器。
【請求項２】
変圧器の一次側巻線の電力を二次側巻線及び三次側巻線に供給し、前記二次側巻線からの電力を複数の開閉器に供給すると共に、前記三次側巻線からの電力を三相負荷に供給する受変電設備において、前記変圧器の一次側巻線及び前記三次側巻線をデルタ結線にし、前記二次側巻線の各相をその各相が単相変圧器をなすようにデルタ結線を３分割し、各相毎に中性線を設けた単相３線結線とし、前記二次側巻線の各相に前記開閉器を接続することを特徴とする受変電設備。
【請求項３】
変圧器の一次側巻線の電力を二次側巻線及び三次側巻線に供給し、前記二次側巻線からの電力を複数の開閉器に供給すると共に、前記三次側巻線からの電力を三相負荷に供給する受変電設備において、前記変圧器の一次側巻線及び前記三次側巻線をデルタ結線にし、前記二次側巻線の各相をその各相が単相変圧器をなすようにデルタ結線を３分割し、各相毎に中性線を設けた単相３線結線とし、前記二次側巻線の各相に前記開閉器を接続し、前記変圧器と前記二次側巻線の各相に対向する前記開閉器を筐体に収納することを特徴とする受変電設備。
【請求項４】
変圧器の一次側巻線の電力を二次側巻線及び三次側巻線に供給し、前記二次側巻線からの電力を複数の開閉器に供給すると共に、前記三次側巻線からの電力を三相負荷に供給する受変電設備において、前記変圧器の一次側巻線及び前記三次側巻線をデルタ結線にし、前記二次側巻線の各相をその各相が単相変圧器をなすようにデルタ結線を３分割し、各相毎に中性線を設けた単相３線結線とし、前記二次側巻線の各相に前記開閉器を接続し、前記二次側巻線を前記開閉器側に二次側引出端子として引出し、この二次側引出端子と反対側の前記三次側巻線から三次側引出端子を引出すことを特徴とする受変電設備。
【請求項５】
変圧器として一次側巻線及び三次側巻線をデルタ結線にし、二次側巻線の各相をその各相が単相変圧器をなすようにデルタ結線を３分割し、各相毎に中性線を設けた単相３線結線とし、前記二次側巻線の各相に開閉器を接続し、前記開閉器を連絡用開閉器の一方側と他方側に接続し、一方側の変圧器が停電している時に、停電している側の前記開閉器を開放すると共に、前記連絡用開閉器を閉じて他方側の運転中の変圧器からの電力を停電している前記変圧器の負荷側に供給することを特徴とする受変電設備。
【請求項６】
前記二次側巻線の電流を各相に均等に分流することを特徴とする請求項２から５のいずれか１項に記載の受変電設備。
【請求項７】
前記一次側巻線の一次側引出端子及び前記二次側巻線の二次側引出端子を、前記開閉器側に引出すことを特徴とする請求項２から５のいずれか１項に記載の受変電設備。
【発明の詳細な説明】
【０００１】
【発明の属する技術分野】
本発明は変圧器及び高圧もしくは特別高圧の電圧を変圧器の一次側で受電し、二次側で使用電圧に変換し、低圧開閉器を介して需要家に電力を供給する受変電設備に関する。
【０００２】
【従来の技術】
従来、変圧器は、高層ビルや大型マンション内に設けられた受電室にて、供給電圧を低電圧に変換するために使用されている。大容量負荷に対応し、変圧器の容量は大きく、更に停電発生時の影響を極小化するなど配慮し、２バンク構成とする特徴を持っている。
【０００３】
高圧もしくは特別高圧の電圧で受電し、変圧器を介して低圧用開閉器に接続されている。低圧用開閉器の負荷側にはヒューズが収納され、このヒューズから負荷に直接電力を供給している。
【０００４】
変圧器は異容量の単相変圧器をＶ結線した方式で、２台中の１台の変圧器容量が他方の変圧器容量に比べて大きい。単相の１００Ｖの負荷に対しては、容量の大きい変圧器を使用し、三相の２００Ｖ負荷を使用する場合は、もう一方の容量の小さい変圧器を併用してＶ結線とし、動力用負荷に電力を供給している。単相１００Ｖ負荷に対応した容量の大きい変圧器では、変圧器の二次側が大電流となるため、大電流の通電可能な低圧用開閉器を選定している。
【０００５】
低圧用開閉器を収納する筐体には、大電流により導体から発生する漏れ磁束が原因で渦電流が発生するため、大電流が通電する導体付近はステンレス材を使用した母線箱で包囲している。また、変圧器の二次側の低圧用筐体は、受電用とフィーダー用機器を別々の筐体に収納している。
【０００６】
しかし、上記従来技術では、変圧器の二次側の電流が多く、変圧器容量の増加に伴う二次側の電流の増加により、二次側の低圧用開閉器のコストが増加する。また、大電流が通電する導体付近の構造材及び低圧用筐体へのステンレス材の使用により、低圧用筐体の材料、加工費が増加する。
【０００７】
更に、低圧受電用とフィーダー用機器を別々の筐体に収納していることや、単相変圧器２台の変圧器相互の絶縁距離確保により変圧器筐体のサイズが増大し、変圧器及び低圧用筐体を受電室で組み合わせたときの据付面積が増大する問題があった。尚、変圧器を利用した受変電設備としては、特許文献１を挙げることができる。
【０００８】
【特許文献１】
特開昭５５−１６０９０５号公報（要約）
【０００９】
【発明が解決しようとする課題】
そこで、変圧器及び低圧用筐体等の受変電設備のコスト及び据付面積を低減するには、二次側機器の簡素化、コスト、据付面積、変圧器の二次側電流による漏れ磁束対策のステンレス材使用部材の削減、変圧器の台数低減が考えられる。
【００１０】
しかしながら、いずれの場合においても変圧器の二次側の電流を低減しなければ、上記課題を解決することは困難である。
【００１１】
本発明の目的は、コスト及び据付面積を低減した受変電設備を提供することにある。
【００１２】
【課題を解決するための手段】
上記課題を解決するために、本発明の受変電設備は、二次側巻線の各相を分割しその各相から低圧の負荷に電力を供給するようにデルタ結線を３分割し、各相毎に中性線を設けた単相３線結線とし、通電値を各相に分流した分だけ小さくして、受変電設備のコスト及び据付面積を低減することを特徴とする。
【００１３】
【発明の実施の形態】
本発明の実施例を図１及び図２に示す変圧器及び受変電設備により説明する。図１及び図２は変圧器の等価回路及び受変電設備の系統を示す図である。
【００１４】
変圧器１Ａを図１により説明する。変圧器１Ａの一次側巻線１３及び三次側
巻線１４をデルタ結線している。三次側巻線１４は三相変圧器を形成している。三相変圧器からの三相負荷として、例えば、エレベータ、ポンプ、建物の照明
等に電力を供給する。
【００１５】
二次側巻線１５の各相Ｕ，Ｖ，Ｗは３台の単相変圧器をなすようにデルタ結線を３分割し、各相毎に中性線を設けた単相３線結線としている。３台の単相変圧器１Ａの二次側巻線はＵ相，Ｖ相，Ｗ相二次側巻線１５Ｕ，１５Ｖ，１５Ｗである。つまり、二次側巻線の各相をその各相から負荷に電力を供給する単相変圧器をなすようにデルタ結線を３分割し、各相毎に中性線を設けた単相３線結線としている。この結線は、例えばＵ相二次側巻線１５ＵとＶ相二次側巻線１５Ｖとの間が電気的に絶縁している。
【００１６】
この変圧器１Ａは図２に示すように変圧器用筐体１内に２バンクの変圧器１Ａ，
１Ｂを配置している。変圧器１Ｂは変圧器１Ａと同じ構造なので、前述と同様に以下でも変圧器１Ａを代表として説明する。
【００１７】
変圧器１Ａ，１Ｂは２バンク構成であるため、変圧器１Ａと変圧器１Ｂとを
右左に配置している。この変圧器１Ａの二次側巻線１５の端子から低圧受電用
とフィーダーの機能を併せ持つ低圧用筐体が３台配置されている。
【００１８】
３台の低圧用筐体は変圧器１ＡのＵ相，Ｖ相，Ｗ相二次側巻線１５Ｕ，１５Ｖ，１５Ｗと対応して左からＵ相低圧用筐体４Ａ、Ｖ相低圧用筐体５Ａ、Ｗ相低圧用筐体６Ａとして配列している。これらの低圧用筐体には低圧用開閉器７を収納している。Ｕ相低圧用筐体４Ａ、Ｖ相低圧用筐体５Ａ、Ｗ相低圧用筐体６Ａは全て同じ構造のため、代表としてＷ相低圧用筐体６Ａを説明するが、その詳細は後述する。
【００１９】
Ｗ相低圧用筐体６ＡとＵ相低圧用筐体４Ｂとの間に挟まれた中間に連絡用筐体８が配置されている。連絡用筐体８は、通常の運転時には並列で運転している２バンクのどちらか一方のバンク、例えば変圧器１Ａを停止して点検する時に、もう一方の運転している方の変圧器１Ｂから停止を予定している変圧器１Ａ側の負荷に電力を供給する際に必要となる連絡用開閉器９を３台収納している。連絡用筐体８の詳細については後述する。
【００２０】
変圧器１Ａを停止して点検するときは、連絡用開閉器９の３台全てを投入し、停止を予定しているバンクの変圧器１Ａの代わりに、もう一方の変圧器１Ｂから停止している変圧器１Ａの負荷に電力を供給する。通常運転時には、連絡用開閉器９は３台とも遮断した状態で、両バンクは切り離された状態にあり、２バンク並列運転している。
【００２１】
変圧器１Ａの三次巻線１４と接続した電線１０が連絡用筐体９内にある三次用開閉器１２に接続され、三相２００Ｖを必要とする三相負荷に電力を供給している。
【００２２】
そして、変圧器１Ａと低圧用開閉器７、連絡用開閉器９、三次用開閉器１２の電気的な接続関係を図３により説明する。
【００２３】
図３では連絡用筐体８と右側の低圧用筐体内について説明する。左側の低圧用筐体内の構成は右側の低圧用筐体内と同じなので、説明を省略する。また３台の低圧用筐体内の構成は同じなので、Ｗ相低圧用筐体６Ａを説明し、他のＶ相低圧用筐体５Ａ、Ｗ相低圧用筐体４Ａについての電気的な接続関係については説明を省略する。
【００２４】
変圧器１ＡのＷ相二次側巻線１５Ｗ１及び１５Ｗ３には主回路導体１６が接続されている。Ｗ相二次側巻線１５Ｗ２にはＷ相の中性用主回路導体１６Ｎが接続されている。主回路導体１６及び中性用主回路導体１６Ｎには、Ｗ相低圧用筐体６Ａ内の連絡用主回路導体１８及び１８Ｎに接続されている。
【００２５】
Ｗ相二次側巻線１５Ｗ１と１５Ｗ３からの２本の主回路導体１６が低圧用開閉器７及び変流器１７に接続すると共に、連絡用主回路導体１８に接続されている。中性用主回路導体１６Ｎは１本の中性連絡用主回路導体１８Ｎに接続されている。この中性連絡用主回路導体１８ＮにはＶ相，Ｕ相二次側巻線１５Ｖ，１５Ｕにも接続され、共通線としての役目をしている。
【００２６】
２本の連絡用主回路導体１８Ｎと１本の中性連絡用主回路導体１８ＮはＵ相低圧用筐体４Ａ、Ｖ相低圧用筐体５Ａ、Ｗ相低圧用筐体６Ａ、連絡用筐体８内を貫通し、主回路導体１６及び中性用主回路導体１６Ｎに対して直交つまり水平方向に延びている。
【００２７】
連絡用主回路導体１８及び中性連絡用主回路導体１８Ｎは図４に示すように母線箱１９内に２本のＵ相，Ｖ相，Ｗ相二次側巻線と中性用二次巻線とに対応する７本の導体が収納されている。７本の導体は連絡用主回路導体１８（Ｕ１，Ｕ３）、（Ｖ１，Ｖ３）、（Ｗ１，Ｗ３）、中性用連絡用主回路導体１８Ｎである。
【００２８】
母線箱１９はステンレス部材により構成されている。つまり、大電流が通電する箇所にはステンレス部材が使用されている。主回路導体１６及び連絡用主回路導体１８は帯状の導体バーよりなる。連絡用主回路導体１８には連絡用開閉器９が接続されている。連絡用主回路導体１８に接続されたヒューズ線２０Ａには、５本のヒューズ２０が接続されている。各ヒューズ２０は各々低圧の負荷Ｌに接続されている。負荷Ｌで発生した事故電流が電力系統側に波及するのをヒューズ２０の溶断により防止している。
【００２９】
次に、変圧器用筐体１及びＷ相低圧用筐体６Ａと連絡用筐体８の詳細について図１，２と図５（Ａ）及び図６により説明する。図５（Ａ）及び図６は図２のＡ−Ａ線及びＢ−Ｂ線断面図である。
【００３０】
図５（Ａ）の変圧器筐体１内には３相３脚鉄心１Ｚが配置されている。その鉄心脚１Ｚには図５（Ｂ）に示すように三次側巻線１４を配置し、三次側巻線１４の外周側に二次側巻線１５を配置し、二次側巻線１５の外周側に一次側巻線１３を配置している。一次側巻線１３、二次側巻線１５、三次側巻線１４は絶縁部材によりコイルをモールドしたモールドコイルを使用している。
【００３１】
変圧器１Ａの結線は、変圧器１Ａの一次側巻線１３及び三次側巻線１４をデルタ結線にしている。二次側巻線１５は、見かけ上は３相変圧器が１台であるが、機能上、二次側はデルタ結線を３分割し、各相毎に中性線を設けた単相３線結線であるため、単相変圧器が３台の変圧器と同等となる。３台の単相変圧器は全て構成が同じであるため、Ｕ相，Ｖ相，Ｗ相二次側巻線１５Ｕ，１５Ｖ，１５Ｗより成るが、代表としてＷ相二次側巻線１５Ｗについて説明を行う。
【００３２】
Ｗ相二次側巻線１５Ｗの引出し線である二次端子１５Ｗ１，１５Ｗ３及び二次中性用端子１５Ｗ２には、低圧用筐体６Ａと接続する際の寸法の余裕度を持たせるため、たわみ導体２２を使用している。そのため、たわみ導体２２及び二次端子１５Ｗ１，１５Ｗ３と二次中性用端子１５Ｗ２の引出しにスペースを取るため、一次端子１３Ａを逆方向に持ってくると、その分だけ変圧器１Ａを収納する変圧器筐体１の寸法が増大する。よって、一次端子１３Ａを二次端子１５Ｗ１，１５Ｗ３、二次中性用端子１５Ｗ２側と同じ引出し方向つまり低圧用開閉器７側に引出し、変圧器用筐体１のスペースの縮小を図っている。
【００３３】
尚、図３では図５（Ａ）と一次端子１３Ａと二次端子１５との引出し方向が必ずしも一致していないが、図３は各端子の接続先を分かりやすくするために作成した図であるから、必ずしも図５（Ａ）と一致していない。
【００３４】
Ｗ相二次側巻線１５Ｗに引出された二次端子１５Ｗ１，１５Ｗ３及び二次中性用端子１５Ｗ２から、単相の１００Ｖの電圧を発生させるため、３本の内１本の二次端子は二次中性用端子１５Ｗ２となっている。変圧器１Ａの二次電流については、変圧器１Ａの二次側からみると単相の変圧器３台と同じであるため、単相変圧器の１台当たりの二次電流は、従来の異容量の変圧器をＶ結線した場合と比較して１／３となる。また、三次側端子１４Ａは、３相の２００Ｖ用の負荷に対応している。
【００３５】
次に、Ｗ相低圧用筐体６Ａの内部構造について、図５（Ａ）の右側面図により説明を行う。変圧器１Ａの二次側からは、二次端子１５Ｗ１，１５Ｗ３及び二次中性用端子１５Ｗ２が引出され、これらの主回路導体１６及び１６Ｎに接続され、この３本の導体がＷ相低圧用筐体６Ａ内に入る。
【００３６】
主回路導体１６は変流器１７を通過後、低圧用開閉器７に接続される。また、残り１本の二次中性用端子１５Ｗ２は変流器１７を通過せず、低圧用開閉器７に接続される。その後、主回路導体１６及び１６Ｎは、他のバンクへの接続の際に必要となる連絡用主回路導体１８，１８Ｎに接続され、連絡用主回路導体１８からヒューズ線２０Ａを介して５台のヒューズ２０に接続される。ヒューズ２０の各々は単相１００Ｖの負荷Ｌに接続されている。
【００３７】
つまり、Ｕ相低圧用筐体４Ａ、Ｖ相低圧用筐体５Ａ、Ｗ相低圧用筐体６Ａにおいて、それぞれ単相１００Ｖ用の負荷Ｌを５幹線分得ることができる。Ｕ相低圧用筐体４Ａ、Ｖ相低圧用筐体５Ａ、Ｗ相低圧用筐体６Ａを合わせて１バンクとなる。このため、１バンクで１５幹線、２バンクで３０幹線の単相１００Ｖの負荷Ｌを得ることが可能である。２バンク構成である為、変圧器１Ｂのバンクも変圧器１Ａのバンクと全く同様な構成となっている。
【００３８】
連絡用主回路導体１８及び中性連絡用主回路導体１８ＮはＵ相，Ｖ相，Ｗ相用低圧用筐体４Ａ，５Ａ，６Ａ内にそれぞれ最低でも２本の母線と１本の中性用母線が配置されている。また連絡用主回路導体１８及び中性連絡用主回路導体１８Ｎはもう片方のバンクのＵ，Ｖ，Ｗ相用低圧用筐体４Ｂ，５Ｂ，６Ｂ内の連絡用主回路導体１８及び中性連絡用主回路導体１８Ｎに繋がっている。このため、Ｗ相用低圧用筐体６ＡにはＶ相用母線及びＵ相用母線を配置されていることになり、計６本の母線及び１本の中性用母線が配置されている。
【００３９】
連絡用筐体８について図３，５（Ａ）及び図６により説明する。図６は連絡用筐体８の側面図である。
【００４０】
連絡用筐体８には、連絡用遮断器９を収納すると共に、変圧器１Ａの三次巻線１４から三次側端子１４Ａを引出し、三次側端子１４Ａは電線１０に接続している。電線１０及び三次側端子１４Ａは、二次端子１５Ｗ１，１５Ｗ３及び二次中性用端子１５Ｗ２の反対側から引出されている。電線１０は二次端子１５Ｗ１，１５Ｗ３と交差しないように変圧器筐体１内より連絡用筐体８に入る。連絡用筐体８内の電線１０は三次用開閉器１２に接続されている。
【００４１】
三次用開閉器１２の先には、１台で２つの開閉器を持つインターロック付開閉器２３がある。たとえば、両バンクとも電圧がある場合には、インターロック付開閉器２３内のどちらか一方の開閉器が投入され、もう片方の開閉器は遮断された状態となっている。
【００４２】
また、投入している開閉器に接続されている変圧器が停止し、電圧が無くなった場合には、投入している開閉器は遮断状態となり、もう片方の遮断している遮断器は投入状態となる。その後、三相の２００Ｖの負荷開閉器２４を介して三相の２００Ｖの負荷に接続される。また、特高側の操作電源及び制御するための電源の供給している。
【００４３】
このように、この実施例では、二次側巻線１５を単相変圧器が３台になるようにデルタ結線を３分割し、各相毎に中性線を設けた単相３線結線としている。これにより３台の単相変圧器の二次側巻線１５Ｕ，１５Ｖ，１５Ｗの各相の二次側電流は分流した分だけ電流を従来に比べて小さくできる。
【００４４】
即ち、従来技術では約５０００アンペアの二次側の電流が主回路導体１６及び連絡用主回路導体１８等に流れていた。これに対して、本発明の実施例では二次側の電流をデルタ結線を分割して３相各々に分流したことにより、二次側巻線１５に一相あたり流れる約１６００アンペアの電流が、主回路導体１６及び連絡用主回路導体１８等に均等に流れる。
【００４５】
この結果、主回路導体１６及び連絡用主回路導体１８等に流れる渦電流及び通常電流は、本発明の実施例では従来技術と比較して約１／３となり、母線箱１９及び主回路導体１６、連絡用主回路導体１８等を約１／３に縮小できるようになり、変圧器及び変圧器筐体、低圧用筐体を縮小することができる。
【００４６】
例えば、従来の受変電設備の据付面積を約１０とすると、本発明の受変電設備の据付面積は約６〜７に縮小できる。また低圧用筐体４Ａ，５Ａ，６Ａ及び母線箱１９に使用したステンレス材を低減することができる。従って、本発明の変圧器及び受変電設備によれば、据付面積の縮小及びコストの低減ができる。
【００４７】
また主回路導体１６、連絡用主回路導体１８等の通電値が小さくなったので、変圧器の二次側導体の各々に対向して低圧用筐体４Ａ，５Ａ，６Ａを３つに分離して配置できるようになった。即ち、各低圧用筐体で短絡事故が生じた場合、従来技術と比較して事故電流が小さく、他の低圧用筐体に悪影響を及ぼす影響が少ないことから、３台の独立した低圧用筐体に分離することができる。
【００４８】
この結果、Ｕ相，Ｖ相，Ｗ相の二次側巻線１５Ｕ，１５Ｖ，１５Ｗは、低圧用筐体との配線が容易に理解できるようになり、変圧器と低圧用筐体４Ａ，５Ａ，６Ａ内の機器との接続に際し、誤った接続を防止することが可能となる。
【００４９】
更に、三次側端子１４Ａを、二次端子１５Ｗ１，１５Ｗ３及び二次中性用端子１５Ｗ２の反対側から引出すことにより、引出し作業が容易になった。例えば、三次側端子１４Ａを二次端子１５Ｕ１，１５Ｕ３の直角方向から引出す場合、変圧器のＷ相二次側巻線１５ＷとＶ相二次側巻線１５Ｖとの間より引出すことになり、作業性が悪化する。また、絶縁距離を必要とする欠点がある。
【００５０】
更に、一次端子１３及び二次端子１５Ｕ１，１５Ｕ３を同方向に引出したため、変圧器筐体１の縮小が可能なり、更に作業性が向上した。
【００５１】
更に、前述の実施例を２回線２バンクとして使用する場合を説明する。
【００５２】
即ち、２バンクを各々変圧器１Ａ，１Ｂとして一次側巻線１３及び三次側巻線１４をデルタ結線にし、二次側巻線１５を３台の単相変圧器１５Ｕ，１５Ｖ，１５Ｗになるようにデルタ結線を３分割し、各相毎に中性線を設けた単相３線結線とし、Ｗ相変圧器１５の二次側巻線１５Ｗ１，１５Ｗ３に低圧開閉器７を接続し、低圧開閉器７を連絡用開閉器９の一方側（変圧器１Ａ側）と他方側（変圧器１Ｂ側）に接続し、一方側の変圧器１Ａが停電している時に、停電している側の低圧開閉器７を開放すると共に、連絡用開閉器９を閉じて他方側の運転中の変圧器１Ｂからの電力を停電している変圧器１Ａ側の負荷Ｌに供給する。
【００５３】
尚、前述の実施例では低圧開閉器及び低圧用筐体について説明したが、低圧でない通常の開閉器及び筐体についても使用できることは勿論である。
【００５４】
【発明の効果】
以上のように、本発明の受変電設備によれば、変圧器及び受変電設備の据付面積の縮小及びコストの低減が可能となる。
【図面の簡単な説明】
【図１】本発明の実施例として示した変圧器の等価回路図。
【図２】図１の変圧器を使用した受変電設備の配置を示す概略平面図。
【図３】図２の受変電設備の系統を示す系統回路図。
【図４】図３のＣ−Ｃ線断面である母線箱の断面図。
【図５】図５（Ａ）及び（Ｂ）は図２のＡ−Ａ線断面図及び図５（Ａ）の変圧器の鉄心及び巻線を示す断面図。
【図６】図２のＢ−Ｂ線断面図。
【符号の説明】
１…変圧器用筐体、１Ａ，１Ｂ…変圧器、１Ｚ…鉄心脚、４Ａ，５Ａ，６Ａ…低圧用筐体、４Ｂ，５Ｂ，６Ｂ…低圧用筐体、７…低圧用開閉器、８…連絡用筐体、９…連絡用開閉器、１０…電線、１２…３次用開閉器、１３…一次巻線、１３Ａ…一次端子、１４…三次巻線、１４Ａ…三次端子、１５…二次巻線、１５Ｕ，１５Ｖ，１５Ｗ…Ｕ，Ｖ，Ｗ相二次側巻線、１５Ｗ１，１５Ｗ３…二次側端子、１５Ｗ２…二次中性用端子、１６…主回路導体、１６Ｎ…中性用主回路導体、１７…変流器、１８…連絡用主回路導体、１８Ｎ…中性連絡用主回路導体、１９…母線箱、２０…ヒューズ。
【図１】
2004259945.tif 000003
【図２】
2004259945.tif 000004
【図３】
2004259945.tif 000005
【図４】
2004259945.tif 000006
【図５】
2004259945.tif 000007
【図６】
2004259945.tif 000008